(57)【要約】      （修正有）【課題】鍋蓋やお玉杓子や菜箸を簡便に起立保持させることができるキッチン用具スタンドを提供する。【解決手段】左右の側壁部と、上壁部と、底部材４によりスタンド本体を構成し、両側壁部を横断すると共に上壁部を開口する受溝部１０を形成することにより、受溝部に挿入された鍋蓋Ｋ１の周縁部を固定保持する鍋蓋保持手段７を構成するとともに、スタンド本体の後方部に開設された挿入口から両側壁部の間を通過して受溝部の下方に至る収納室１２を形成することにより、挿入口から収納室に挿入されたお玉杓子Ｋ２の玉部を保持するお玉杓子保持手段８を構成している。また底部材は、鍋蓋保持手段を構成する受溝部に連通し、滴下する水を貯留させる水受手段１４を構成している。【選択図】図３
0003216974.tif 000002
【実用新案登録請求の範囲】
【請求項１】
鍋蓋(K1)とお玉杓子(K2)と菜箸(K3)から選ばれたキッチン用具を起立保持するスタンドであり、支持面に載置された状態における左右方向(X)と前後方向(Y)に関して、少なくとも、左右に離間配置された側壁部(2,2)と、両側壁部の上端部を連結する上壁部(3)と、両側壁部の下端部の間に跨設された底部材(4)によりスタンド本体(1)を構成し、
前記両側壁部を横断すると共に上壁部を開口する受溝部(10)を形成することにより、該受溝部に挿入された鍋蓋(K1)の周縁部を固定保持する鍋蓋保持手段(7)を構成し、
前記スタンド本体の後方部に開設された挿入口から両側壁部の間を通過して前記受溝部の下方に至る収納室(12)を形成することにより、前記挿入口から収納室に挿入されたお玉杓子(K2)の玉部を保持するお玉杓子保持手段(8)を構成しており、
前記底部材(4)は、前記鍋蓋保持手段(7)を構成する受溝部(10)に連通させられており、滴下する水を貯留させる水受手段(14)を構成して成ることを特徴とするキッチン用具スタンド。
【請求項２】
前記上壁部から収納室に臨んで凹設された縦孔部(13)を形成することにより、該縦孔部に挿入された菜箸(K3)を保持する菜箸保持手段(9)を構成しており、該縦孔部の孔底部(13a)に前記水受手段に向かう水抜き孔(13b)を設けて成ることを特徴とする請求項１に記載のキッチン用具スタンド。
【請求項３】
前記水受手段を構成する底部材(4)は、両側壁部の内側に沿う摺動保持手段(15)を介して摺動自在に保持され、前記スタンド本体(1)の後方部から引き抜き自在に構成されて成ることを特徴とする請求項１又は２に記載のキッチン用具スタンド。
【請求項４】
前記鍋蓋保持手段(7)を構成する受溝部(10)は、前方に向けて下向き傾斜する溝底部(10b)と、該受溝部の後方側で上壁部と両側壁部に連設された溝壁部(10a)を備えており、
前記溝壁部(10a)は、下端から上方に向けて後傾姿勢となるように形成されて成ることを特徴とする請求項１、２又は３に記載のキッチン用具スタンド。
【請求項５】
前記お玉杓子保持手段(8)を構成する収納室(12)にお玉杓子(K2)の玉部を挿入し、該お玉杓子の柄部を起立させた状態で、前記鍋蓋保持手段を構成する受溝部(10)の溝底部(10b)により、前記玉部のつま先部を上方から当接保持する保持ストッパ(12b)を構成して成ることを特徴とする請求項１、２、３又は４に記載のキッチン用具スタンド。
【考案の詳細な説明】
【技術分野】
【０００１】
本考案は、一般家庭の台所において頻繁に使用される鍋蓋やお玉杓子や菜箸を簡便に起立保持させることができるキッチン用具スタンドに関する。
【背景技術】
【０００２】
従来、システムキッチンの天板等に載置することにより、鍋蓋等のキッチン用具を起立保持するスタンドが提供されている。この際、通常のスタンドは、金属線材により折曲形成されており、水切り効果に優れる反面、見栄えが良くなく、しかも、広いスペースを必要とする問題がある。
【０００３】
特に、スタンドは、鍋蓋専用や、お玉杓子専用のように、起立保持させる用具が限定された専用スタンドであるため、ユーザが複数のスタンドを必要とする問題がある。
【先行技術文献】
【特許文献】
【０００４】
【特許文献１】実用新案登録第３０１５５１９号公報
【特許文献２】実用新案登録第３０９６３３９号公報
【考案の概要】
【考案が解決しようとする課題】
【０００５】
本考案は、上記問題に鑑み、１つのスタンドにより鍋蓋やお玉杓子や菜箸から選ばれた複数のキッチン用具を起立保持させることができ、省スペースに貢献できると共に、デザインがコンパクトで見栄えが良く、更に、水回りに使用するキッチン用具から滴下する水処理の問題も好適に解決したキッチン用具スタンドを提供する点に課題がある。
【課題を解決するための手段】
【０００６】
そこで、本考案が手段として構成したところは、鍋蓋とお玉杓子と菜箸から選ばれたキッチン用具を起立保持するスタンドであり、支持面に載置された状態における左右方向と前後方向に関して、少なくとも、左右に離間配置された側壁部と、両側壁部の上端部を連結する上壁部と、両側壁部の下端部の間に跨設された底部材によりスタンド本体を構成し、前記両側壁部を横断すると共に上壁部を開口する受溝部を形成することにより、該受溝部に挿入された鍋蓋の周縁部を固定保持する鍋蓋保持手段を構成し、前記スタンド本体の後方部に開設された挿入口から両側壁部の間を通過して前記受溝部の下方に至る収納室を形成することにより、前記挿入口から収納室に挿入されたお玉杓子の玉部を保持するお玉杓子保持手段を構成しており、前記底部材は、前記鍋蓋保持手段を構成する受溝部に連通させられており、滴下する水を貯留させる水受手段を構成して成る点にある。
【０００７】
鍋蓋保持手段とお玉杓子保持手段に加えて、前記上壁部から収納室に臨んで凹設された縦孔部を形成することにより、該縦孔部に挿入された菜箸を保持する菜箸保持手段を構成し、該縦孔部の孔底部に前記水受手段に向かう水抜き孔を設けることが好ましい。
【０００８】
本考案の好ましい実施形態において、前記水受手段を構成する底部材は、両側壁部の内側に沿う摺動保持手段を介して摺動自在に保持され、前記スタンド本体の後方部から引き抜き自在に構成されている。
【０００９】
前記鍋蓋保持手段を構成する受溝部は、前方に向けて下向き傾斜する溝底部と、該受溝部の後方側で上壁部と両側壁部に連設された溝壁部を備え、前記溝壁部は、下端から上方に向けて後傾姿勢となるように形成することが好ましい。
【００１０】
更に、前記お玉杓子保持手段を構成する収納室にお玉杓子の玉部を挿入し、該お玉杓子の柄部を起立させた状態で、前記鍋蓋保持手段を構成する受溝部の溝底部により、前記玉部のつま先部を上方から当接保持する保持ストッパを構成することが好ましい。
【考案の効果】
【００１１】
本考案によれば、１つのスタンドにより鍋蓋やお玉杓子や菜箸から選ばれた複数のキッチン用具を起立保持させることができ、省スペースに貢献できると共に、デザインがコンパクトで見栄えが良く、更に、水回りに使用するキッチン用具から滴下する水処理の問題も好適に解決したキッチン用具スタンドを提供することができる。
【図面の簡単な説明】
【００１２】
【図１】本考案の１実施形態に係るスタンドを示し、（Ａ）は前方から見た斜視図、（Ｂ）は後方から見た斜視図である。
【図２】スタンドの構造を示す縦断面図である。
【図３】スタンドの使用方法を示す縦断面図である。
【図４】鍋蓋保持手段の作用を示す斜視図である。
【図５】鍋蓋保持手段の作用を示す縦断面図である。
【図６】お玉杓子保持手段の作用を示す斜視図である。
【図７】お玉杓子保持手段の作用を示す縦断面図である。
【図８】菜箸保持手段の作用を示す斜視図である。
【図９】菜箸保持手段の作用を示す縦断面図である。
【考案を実施するための形態】
【００１３】
以下図面に基づいて本考案の好ましい実施形態を詳述する。
【００１４】
図１ないし図３に示すように、本考案のスタンドは、鍋蓋とお玉杓子と菜箸から選ばれたキッチン用具を起立状態で保持するために提供されるものであり、システムキッチンの天板等の支持面に載置された状態における左右方向Ｘと前後方向Ｙ（前方をＹ１、後方をＹ２により示す）に関して、少なくとも、左右に離間配置された側壁部２、２と、両側壁部の上端部を連結する上壁部３と、両側壁部の下端部の間に跨設された底部材４によりスタンド本体１を構成している。図示実施形態の場合、スタンド本体１は、更に、前壁部５と、後壁部６を備え、後述する受溝部や縦孔部を除けば全体形状が概ね立方体形状を呈している。
【００１５】
このようなスタンド本体１は、プラスチック成形により形成されることが好ましく、底部材４だけが別体成形され、それ以外の部分を一体成形している。
【００１６】
そこで、スタンド本体１には、後述するように、鍋蓋Ｋ１の周縁部を保持するための鍋蓋保持手段７と、お玉杓子Ｋ２の玉部を保持するためのお玉杓子保持手段８と、菜箸Ｋ３を保持するための菜箸保持手段９が設けられている。
【００１７】
（鍋蓋保持手段）
鍋蓋保持手段７は、両側壁部２、２を左右方向Ｘに横断すると共に上壁部２を開口させることにより形成された受溝部１０により構成されている。この際、受溝部１０は、後方側（Ｙ２側）に溝壁部１０ａを形成しており、該溝壁部１０ａは、上壁部３と両側壁部２に連設され、図２に示すように、溝壁部１０ａの下端部から前方（Ｙ１方向）に向けて下向き傾斜する溝底部１０ｂを連設している。
【００１８】
受溝部１０の前方側（Ｙ１側）は、前壁部５に向けて開放され、前記溝底部１０ｂの下向き傾斜端部と前壁部５の間には、受溝部１０を底部材４に向けて連通する連通路１１が形成されており、前記溝底部１０ｂの下向き傾斜端部には下向きに折曲された水切り部１０ｃが形成されている。
【００１９】
尚、溝壁部１０ａは、図５に示すように、鉛直線Ｖに対して角度θで傾斜する傾斜ラインＬに沿って下から上に向けて後側（Ｙ２側）に後傾するように形成されている。
【００２０】
（お玉杓子保持手段）
お玉杓子保持手段８は、スタンド本体１の後方部に位置して後壁部６の下部に開設された挿入口１２ａから両側壁部２、２の間で前記受溝部１０の下方領域まで延びる収納室１２により構成されている。
【００２１】
この際、図７に示すように、収納室１２にお玉杓子Ｋ２の玉部を挿入したとき、該玉部のつま先部を上方から当接保持する保持ストッパ１２ｂが設けられており、図示実施形態の場合、保持ストッパ１２ｂは、前記受溝部１０の水切り部１０ｃにより構成されている。
【００２２】
（菜箸保持手段）
菜箸保持手段９は、前記受溝部１０よりも後方側（Ｙ２側）の位置で上壁部３から収納室１２に臨んで凹設された縦孔部１３により構成されている。図示実施形態の場合、左右方向に２つの縦孔部１３、１３が並設されている。縦孔部１３の孔底部１３ａは、図２に示すように後方（Ｙ２）に向けて下向き傾斜するように形成することが好ましく、該孔底部１３ａには底部材４に向けて水抜き孔１３ｂが設けられている。
【００２３】
（水受手段）
前記底部材４は、周壁を有する皿状に形成され、これにより受溝部１０及び縦孔部１３から滴下する水を貯留させる水受手段１４を構成している。
【００２４】
図示実施形態の場合、水受手段１４を構成する底部材４は、両側壁部２、２の内側に沿う摺動保持手段１５を介して摺動自在に保持されており、スタンド本体１の後方部から引き抜き自在に構成されている。摺動保持手段１５は、図例では、両側壁２、２の内側に凹設した溝１５ａと、底部材４の両側部に突設したリブ１５ｂを摺動自在に嵌合することにより構成しているが、溝１５ａとリブ１５ｂを相互に反対側に設けても良い。従って、底部材４は、摺動保持手段１５を介して、引き抜くことにより滞留した水を除去した後、再び差し込むことにより、水受機能を果たすことができる。同時に、底部材４は、収納室１２の底部を構成することにより、収納室１２に挿入されたお玉杓子Ｋ２の玉部を載せる載置手段としても機能する。
【００２５】
（作用）
上記の構成により、スタンド本体１は、システムキッチンの天板等の支持面に載置した状態で、図３に示すように、鍋蓋Ｋ１の周縁部を受溝部１０に挿入することにより起立姿勢とした状態で保持することができ、また、お玉杓子Ｋ２の玉部を挿入口１２ａから収納室１２に挿入することにより柄部を起立姿勢とした状態で保持することができ、更に、菜箸Ｋ３を縦孔部１３に挿入することにより起立姿勢とした状態で保持することができる。
【００２６】
（鍋蓋の保持）
図４及び図５は、鍋蓋Ｋ１をスタンド本体１の鍋蓋保持手段７に保持させた状態を示している。鍋蓋Ｋ１は、図示のように横向き、つまり、円板部が上下方向に向く姿勢として、該円板部の下側の周縁部が受溝部１０に挿入され保持されている。
【００２７】
図５に示すように、受溝部１０に挿入することにより、溝底部１０ｂに載せられた鍋蓋Ｋ１の下側の周縁部は、該溝底部１０ｂの傾斜に沿って図示矢印Ｆ１で示すように滑動し、このため、受溝部１０の上方に位置する鍋蓋Ｋ１の上側部分が図示矢印Ｒ１で示すように傾動する。その結果、鍋蓋Ｋ１は、後傾姿勢とされて溝壁部１０ａにもたれ掛けられるので、安定状態で保持される。
【００２８】
尚、鍋蓋Ｋ１に付着した水は、溝壁部１０ａ及び溝底部１０ｂを伝い、水切り部１０ｃを介して連通路１１から水受手段１４に向けて好適に滴下させられる。
【００２９】
（お玉杓子の保持）
図６及び図７は、お玉杓子Ｋ２をスタンド本体１のお玉杓子保持手段８に保持させた状態を示している。柄部を上向きとしてお玉杓子Ｋ２の玉部を挿入口１２ａから収納室１２に挿入すると、玉部は、底部材４に載置された状態で、該玉部のつま先部を受溝部１０の下方領域まで挿入される。この状態で、起立姿勢とされた柄部が図示矢印Ｒで示すように転倒方向のモーメントを生じるので、これにより玉部のつま先部が図示矢印Ｕで示すように持ち上げ方向の力を生じつつ保持ストッパ１２ｂに接支させられる。
【００３０】
その結果、お玉杓子Ｋ２は、玉部が収納室１２の内部で安定保持され、これにより、長く延びる柄部を起立姿勢とした状態で保持させられる。
【００３１】
（菜箸の保持）
図８及び図９は、菜箸Ｋ３をスタンド本体１の菜箸保持手段９に保持させた状態を示している。図９に示すように、縦孔部１３に挿入された菜箸Ｋ３の先端部は、孔底部１３ａの傾斜に沿って図示矢印Ｆ２で示すように滑動し、このため、菜箸Ｋ３の全体を図示矢印Ｒ２で示すように傾動する。
【００３２】
前記矢印Ｒ２で示す傾動方向は、スタンド本体１の前方（Ｙ１）に向けられており、従って、縦孔部１３に挿入保持された菜箸Ｋ３は、スタンド本体１の上方領域から外向きに広がるように保持されることはなく、スタンド本体１の上方領域に向けて収束された状態で保持される。
【００３３】
尚、菜箸Ｋ３に付着した水は、水抜き孔１３ｂから水受手段１４に向けて好適に滴下させられる。
【符号の説明】
【００３４】
Ｋ１  鍋蓋
Ｋ２  お玉杓子
Ｋ３  菜箸
１  スタンド本体
２  側壁部
３  上壁部
４  底部材
５  前壁部
６  後壁部
７  鍋蓋保持手段
８  お玉杓子保持手段
９  菜箸保持手段
１０  受溝部
１０ａ  溝壁部
１０ｂ  溝底部
１１  連通路
１２  収納室
１２ａ  挿入口
１２ｂ  保持ストッパ
１３  縦孔部
１３ａ  孔底部
１３ｂ  水抜き孔
１４  水受手段
１５  摺動保持手段
１５ａ  溝
１５ｂ  リブ
【図１】
0003216974.tif 000003
【図２】
0003216974.tif 000004
【図３】
0003216974.tif 000005
【図４】
0003216974.tif 000006
【図５】
0003216974.tif 000007
【図６】
0003216974.tif 000008
【図７】
0003216974.tif 000009
【図８】
0003216974.tif 000010
【図９】
0003216974.tif 000011